(57)【要約】【課題】リップルを生じさせることなく音信号（波形）を伝送させて音質向上を図った導線ケーブルを提供すること。【解決手段】トルマリン粉末を溶解して固化可能な液体を、音信号を伝送させる複線の導線ケーブルの被覆部材２上に、トルマリン粉末で覆われるように塗布し、固化させて、トルマリン層３を形成させたり、トルマリン粉末を混入させた被覆部材を銅等の導線１に被覆させたりして、トルマリン粉末を主成分としたトルマリン層３と導線１とを有して導線ケーブルを構成する。【選択図】        図１
2004362893.tif 000002
【特許請求の範囲】
【請求項１】
トルマリン粉末を主成分としたトルマリン層と導線とを有する導線ケーブル。
【請求項２】
前記導線は、音信号を伝送させる複線であることを特徴とする請求項１記載の導線ケーブル。
【請求項３】
前記トルマリン層は、前記導線を被覆する被覆部材の上に形成されていることを特徴とする請求項１または２記載の導線ケーブル。
【請求項４】
前記トルマリン層は、前記導線を被覆する被覆部材層であることを特徴とする請求項１または２記載の導線ケーブル。
【発明の詳細な説明】
【０００１】
【発明の属する技術分野】
この発明は、導線ケーブルに関し、更に詳しくは導線を覆う絶縁層の改良に関する。
【０００２】
【従来の技術】
導線ケーブルは、単線の他に同軸ケーブルや平行ケーブル等の複線があるが、これらケーブルは、周知の通り、不導電体であるビニル等の合成樹脂部材で導線を被覆している。
【０００３】
ところで、上記した平行ケーブルの使用例としてステレオ装置とスピーカーとを繋ぐスピーカーケーブルがある。
このスピーカーケーブルは、原音に忠実でピュアな音色を再現するために様々な提案がなされており、例えば、絶縁体に被覆された０．１ｍｍ以下の超極細導体を２本並列に並べ、その２本をポリエチレンチューブからなるジャケットで覆ったとした、低インピーダンススピーカーケーブルが提案されている（例えば、特許文献１参照）。
【０００４】
【特許文献１】
特開２００３−３６７３８号公報  （第１頁、第１図）
【０００５】
【発明が解決しようとする課題】
上記した従来のスピーカーケーブルは、直流抵抗を重視して導体を太くしていた旧来のケーブルに対し、敢えて、０．１ｍｍ以下の超極細の導体を採用することで、超高域付近の周波数の信号電送ロスを抑制したものである。
【０００６】
しかしながら、この従来のスピーカーケーブルは、外部からのノイズ対策は何ら講じておらず、しかも、当然のことながら、直流抵抗を無視した手段を採用している。
音質向上のため、かかるような信号電送ロス対策も必要ではあるが、実際に試聴して、音質としてはっきり結果がでるのは、信号そのもの、すなわち、いかに音信号（波形）にリップルを生じさせないようにするかである。
【０００７】
そこで本発明は、外部からのノイズによる影響を受けることなく信号を伝送させることのできる導線ケーブルを提供することを目的とし、さらに他に目的とする処は、音信号（波形）にリップルを生じさせないようにして伝送させて音質向上を図った導線ケーブルを提供することを目的とする。
【０００８】
【課題を解決するための手段】
上記課題を解決するために、本件発明者は、音信号を伝送させるスピーカーケーブルは、被覆層によって効率よくノイズを遮断することが好ましいと思料し、様々な絶縁部材の試用を試みた。
その結果、トルマリンに極めて顕著な効果があることを知見した。このようにして、トルマリンに着目した本件発明者は、そのトルマリン粉末を用いて上記課題を解決する導線ケーブルを発明するに至った。
【０００９】
すなわち、請求項１の発明の要旨は、トルマリン粉末を主成分としたトルマリン層と導線とを有する導線ケーブルに存する。
請求項２の発明の要旨は、前記導線は、音信号を伝送させる複線であることを特徴とする請求項１記載の導線ケーブルに存する。
請求項３の発明の要旨は、前記トルマリン層は、前記導線を被覆する被覆部材の上に形成されていることを特徴とする請求項１または２記載の導線ケーブルに存する。
請求項４の発明の要旨は、前記トルマリン層は、前記導線を被覆する被覆部材層であることを特徴とする請求項１または２記載の導線ケーブルに存する。
【００１０】
【発明の実施の形態】
次に、本発明の実施の形態を図１及び図２を用いて説明をする。図中、符号３はトルマリン層を示す。
【００１１】
本実施形態にかかる導線ケーブルは、図１に示すように、不導電体であるビニル等の合成樹脂部材で構成された被覆部材２を銅等の導線１に被覆したスピーカーケーブル（複線ケーブル）に、トルマリン層３を設けた例である。
トルマリン層３は、トルマリンを砕石し粉末化したものを主成分として構成された可撓性を有する合成樹脂部材であり、被覆部材２と一体化してなる。
【００１２】
このトルマリン層３は、上述のほか、粒径が３〜７マイクロメートル程度のトルマリン粉末をアクリル等の樹脂系透明塗料に溶解してなる液体を、一般的なスピーカーケーブルに、トルマリン粉末で覆われるように多重塗り等をして構成しても良いものである。
【００１３】
次に、以上のように構成された本実施形態にかかる導線ケーブルの特性を、図３〜図５を参照しながら説明する。
【００１４】
試料として用いた導線ケーブルは、一般的なＳＰケーブルであり、アクリル等の樹脂系透明塗料とトルマリン粉末とを同量比とした溶液を刷毛で二度塗り（乾燥したら再度塗り直したもの）したトルマリンＳＰケーブル（と呼称する）と、ノーマルＳＰケーブル（と呼称する）とを用意して試験を行った。
【００１５】
また、導線ケーブルの特性を得るための試験構成は、上述したトルマリンＳＰケーブル及びノーマルＳＰケーブルの夫々をシンセサイザに接続し、出力させた４４０ヘルツ正弦波の２オクターブ上である１７６０ヘルツの波形を、オシロスコープを用いて観測した。
【００１６】
ここで、図３はシンセサイザの出力波形（１７６０ヘルツ正弦波）、図４はトルマリンＳＰケーブルを介した波形、図５はノーマルＳＰケーブルを介した波形である。
【００１７】
まず、トルマリンＳＰケーブルを介した波形を観察すると、シンセサイザの出力波形を忠実に再現して、外部からのノイズによる影響を受けていないことが確認できる。その一方で、ノーマルＳＰケーブルの介した波形を観察すると、波形細部において乱れが生じており、外部からのノイズによる影響を受けていることが確認できる。
【００１８】
例えば、シンセサイザの出力波形、Ａ部分の僅かながらの右上がりとなっている部分を着目すると、トルマリンＳＰケーブルは忠実に右上がりに再現しているものの、ノーマルＳＰケーブルは平坦状に再現している。また、シンセサイザの出力波形、Ｂ部分の平坦状となっている部分を着目すると、トルマリンＳＰケーブルは忠実に平坦状に再現しているものの、ノーマルＳＰケーブルは右上がりに再現している。
【００１９】
また、図示していないが、ホワイトノイズ発生器とスペクトラムアナライザが一体となった装置を用いてドット表示をして観察を行ったところ、ノーマルＳＰケーブルでは波形全域に亘って波形（ドット）が小刻みに上下に揺れ、低音部の欠落が見られたが、トルマリンＳＰケーブルでは、低音部の欠落が認識できず平坦な形で表示された。
【００２０】
また、同様に木管楽器を模した合成波を用いて計測したところ、上記と同様な結果が得られている。
このように、ノーマルＳＰケーブルよりもトルマリンＳＰケーブルの方が、シンセサイザの出力信号を極めて忠実に再現しており、実際の試聴においても、トルマリンＳＰケーブルを用いることで「非電気的な音色」を奏でており、明らかに音質が向上しているのが確認されている。
【００２１】
以上、本実施形態にかかる導線ケーブルを説明したが、このものに限定されず、たとえば、図２に示すように、不導電体であるビニル等の合成樹脂部材にトルマリン粉末を混入させて被覆部材をトルマリン層３ａにし、銅等の導線１ａに被覆しても良い。
【００２２】
また、図示しないが、上述したトルマリン層を有する導線ケーブルを束ね、さらに合成樹脂部材で被覆しても良い。また、同軸ケーブルにおいても信号線とアース線との境界層をトルマリン層で構成しても良い。
【００２３】
このように上述した実施形態は、本発明の好適な実施形態の一例を示すものであり、本発明はそれに限定されるものではなく、その要旨を逸脱しない範囲内において、種々変形実施が可能である。
【００２４】
【発明の効果】
本発明によれば、導線ケーブルをトルマリン粉末を主成分としたトルマリン層を有して構成したことで、外部からのノイズによる影響を受けることなく信号を伝送することができる。
【００２５】
また、ステレオケーブル等に適用した場合、音信号（波形）にリップル等が生じることなく音信号（波形）を伝送させるから、音の再現性が極めて向上した導線ケーブルが提供できる。
【図面の簡単な説明】
【図１】本実施形態にかかる導線ケーブルの縦断正面図である。
【図２】導線ケーブルの他の変形例を示した縦断正面図である。
【図３】シンセサイザの出力波形を示した波形図である。
【図４】トルマリンＳＰケーブルを介した波形図である。
【図５】ノーマルＳＰケーブルを介した波形図である。
【符号の説明】
１  導線
２  被覆部材
３  トルマリン層
【図１】
2004362893.tif 000003
【図２】
2004362893.tif 000004
【図３】
2004362893.tif 000005
【図４】
2004362893.tif 000006
【図５】
2004362893.tif 000007